(57)【要約】  異なるタイミングで取得される複数の部分記録情報をユーザが編集することなく、連続的に再生可能な情報再生装置を提供すること。  情報再生装置１において、各部分記録情報の夫々における再生終了位置情報を、各部分記録情報の再生処理の終了の度に当該各部分記録情報毎に記録する再生終了位置記録手段１３ａと、再生すべき部分記録情報の指定に当たり、当該再生すべき部分記録情報が属する記録情報の指示を行うために用いられる再生指示手段１５と、各部分記録情報につき、記録情報の指示が行われたとき、当該指示された記録情報に属する部分記録情報を、記録テーブルに基づいて検出する検出手段１４と、検出された部分記録情報の再生処理を、再生終了位置情報により示される当該検出された部分記録情報の再生終了位置に対応する位置から再開する再生再開手段１４と、を備える。【特許請求の範囲】
【請求項１】
異なるタイミングで取得される複数の部分記録情報からなる記録情報を複数個記録媒体に記録する情報記録装置において、
各前記記録情報の取得及び前記記録媒体への記録を指示するために用いられる指示手段と、
前記指示手段による指示に基づいて、各前記部分記録情報を取得する取得手段と、
前記指示に基づいて、各前記取得された部分記録情報の夫々につき、当該取得順に連番を付して前記記録媒体に当該取得順に記録する記録手段と、
記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む記録テーブルを生成する生成手段と、
を備えることを特徴とする情報記録装置。
【請求項２】
請求項１に記載の情報記録装置において、
前記複数の部分記録情報は、定期的に放送された同一シリーズにおける一の番組であることを特徴とする情報記録装置。
【請求項３】
請求項１及び２のいずれかに一項に記載の情報記録装置により前記記録媒体に記録されている前記部分記録情報を当該記録媒体から再生する情報再生装置において、
各前記部分記録情報の夫々における再生終了位置情報を、各前記部分記録情報の再生処理の終了の度に当該各部分記録情報毎に記録する再生終了位置記録手段と、
再生すべき前記部分記録情報の指定に当たり、当該再生すべき前記部分記録情報が属する前記記録情報の指示を行うために用いられる再生指示手段と、
各前記部分記録情報につき、前記記録情報の指示が行われたとき、当該指示された記録情報に属する前記部分記録情報を、前記記録テーブルに基づいて検出する検出手段と、
前記検出された部分記録情報の再生処理を、前記再生終了位置情報により示される当該検出された部分記録情報の再生終了位置に対応する位置から再開する再生再開手段と、
を備えることを特徴とする情報再生装置。
【請求項４】
請求項３に記載の情報再生装置において、
前記複数の部分記録情報は、定期的に放送された同一シリーズおける一の番組であることを特徴とする情報記録装置。
【請求項５】
異なるタイミングで取得される複数の部分記録情報からなる記録情報を複数個記録媒体に記録する情報記録方法において、
各前記記録情報の取得及び前記記録媒体への記録を指示するために用いられる指示工程と、
前記指示工程における指示に基づいて、各前記部分記録情報を取得する取得工程と、
前記指示に基づいて、各前記取得された部分記録情報の夫々につき、当該取得順に連番を付して前記記録媒体に当該取得順に記録する記録工程と、
記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む記録テーブルを生成する生成工程と、
を備えることを特徴とする情報記録方法。
【請求項６】
請求項５に記載の情報記録方法により前記記録媒体に記録されている前記部分記録情報を当該記録媒体から再生する情報再生方法において、
各前記部分記録情報の夫々における再生終了位置情報を、各前記部分記録情報の再生処理の終了の度に当該各部分記録情報毎に記録する再生終了位置記録工程と、
再生すべき前記部分記録情報の指定に当たり、当該再生すべき前記部分記録情報が属する前記記録情報の指示を行う再生指示工程と、
各前記部分記録情報につき、前記記録情報の指示が行われたとき、当該指示された記録情報に属する前記部分記録情報を、前記記録テーブルに基づいて検出する検出工程と、
前記検出された部分記録情報の再生処理を、前記再生終了位置情報により示される当該検出された部分記録情報の再生終了位置に対応する位置から再開する再生再開工程と、
を備えることを特徴とする情報再生方法。
【請求項７】
異なるタイミングで取得される複数の部分記録情報からなる記録情報を複数個記録媒体に記録する情報記録装置に含まれる記録コンピュータを、
各前記記録情報の取得及び前記記録媒体への記録を指示するために用いられる指示手段、
前記指示手段による指示に基づいて、各前記部分記録情報を取得する取得手段、
前記指示に基づいて、各前記取得された部分記録情報の夫々につき、当該取得順に連番を付して前記記録媒体に当該取得順に記録する記録手段、
記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む記録テーブルを生成する生成手段、
として機能させることを特徴とする情報記録用プログラム。
【請求項８】
請求項７に記載の情報記録用プログラムにより前記記録媒体に記録されている前記部分記録情報を当該記録媒体から再生する情報再生装置に含まれる記録コンピュータを、
各前記部分記録情報の夫々における再生終了位置情報を、各前記部分記録情報の再生処理の終了の度に当該各部分記録情報毎に記録する再生終了位置記録手段、
再生すべき前記部分記録情報の指定に当たり、当該再生すべき前記部分記録情報が属する前記記録情報の指示を行うために用いられる再生指示手段、
各前記部分記録情報につき、前記記録情報の指示が行われたとき、当該指示された記録情報に属する前記部分記録情報を、前記記録テーブルに基づいて検出する検出手段、
前記検出された部分記録情報の再生処理を、前記再生終了位置情報により示される当該検出された部分記録情報の再生終了位置に対応する位置から再開する再生再開手段、
として機能させることを特徴とする情報再生用プログラム。
【請求項９】
請求項７に記載の情報記録用プログラムが前記記録コンピュータで読取可能に記録されていることを特徴とする情報記録媒体。
【請求項１０】
請求項８に記載の情報再生用プログラムが前記再生コンピュータで読取可能に記録されていることを特徴とする情報記録媒体。
【発明の詳細な説明】
【技術分野】
【０００１】
本願は、情報記録装置及び情報記録方法、情報再生装置及び情報再生方法、情報記録用プログラム及び情報再生用プログラム並びに情報記録媒体の技術分野に属し、より詳細には、地上波放送や衛星放送などの放送電波を受信して得られる動画像情報を記録する情報記録装置及び情報記録方法、当該記録されている記録情報を再生する情報再生装置及び情報再生方法、当該情報記録に用いられる情報記録用プログラム及び当該情報再生に用いられる情報再生用プログラム並びに当該記録情報が記録されている情報記録媒体の技術分野に属する。
【背景技術】
【０００２】
従来、例えば地上波放送や衛星放送などの放送電波を受信して得られるデジタル化された動画像情報を記録可能な装置としては、ハードディスクレコーダがある。このハードディスクレコーダは、ＣＭ（commercial message）部信号を本編部信号と共に記録し、再生時にＣＭ記録部をスキップ（飛び越し）して再生することができる、いわゆるコマーシャルカット機能を搭載したものがある。【０００３】
そして、そのハードディスクレコーダはランダムアクセス性の優れたハードディスクを記録媒体として用いるレコーダであるため、その記録媒体のランダムアクセス性を利用した便利ないわゆる追っかけ再生、キャッシュ再生などの再生機能を有する情報再生装置として今後多量に市場に導入されていくものと考えられている。
【発明の開示】
【発明が解決しようとする課題】
【０００４】
ところで、例えば毎週あるいは毎月定期的に放送される番組を含んだ複数の番組を連続的に記録しておき、当該記録済みの番組の内、定期的に放送される番組の再生を行う場合には、それらを同一のシリーズとして連続再生することがある。【０００５】
この場合には、上記番組を再生する度に、併せて次回の再生開始場所を指定して再生するか、あるいは記録した定期的に連続して放送される番組を予め編集して連続して配置しなければ、ある番組を再生したときに連続的に視聴することができないという不具合がある。【０００６】
また、あるシリーズ化された番組の連続再生を中止して別の番組の再生を行った後、再び中止した番組の再生を継続しようとした場合には、中止した番組の再生終了位置をユーザが指定して再度再生する必要があった。【０００７】
そこで、本願は、上記の事情を考慮してなされたもので、その課題の一例は、異なるタイミングで取得される複数の部分記録情報からなる記録情報の再生における利便性を向上させることが可能な情報記録装置及び情報記録方法、当該記録に用いられる情報記録用プログラム、異なるタイミングで取得される複数の部分記録情報をユーザが編集することなく、連続的に再生可能とした情報再生装置及び情報再生方法、当該再生に用いられる情報再生用プログラム、当該情報記録用プログラム又は情報再生用プログラムが記録された情報記録媒体の技術分野を提供することにある。
【課題を解決するための手段】
【０００８】
上記の課題を解決するため、請求項１に記載の発明は、異なるタイミングで取得される複数の部分記録情報からなる記録情報を複数個記録媒体に記録する情報記録装置において、各前記記録情報の取得及び前記記録媒体への記録を指示するために用いられる指示手段と、前記指示手段による指示に基づいて、各前記部分記録情報を取得する取得手段と、前記指示に基づいて、各前記取得された部分記録情報の夫々につき、当該取得順に連番を付して前記記録媒体に当該取得順に記録する記録手段と、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む記録テーブルを生成する生成手段と、を備えることを特徴とする。【０００９】
上記の課題を解決するために、請求項３に記載の発明は、請求項１及び２のいずれかに一項に記載の情報記録装置により前記記録媒体に記録されている前記部分記録情報を当該記録媒体から再生する情報再生装置において、各前記部分記録情報の夫々における再生終了位置情報を、各前記部分記録情報の再生処理の終了の度に当該各部分記録情報毎に記録する再生終了位置記録手段と、再生すべき前記部分記録情報の指定に当たり、当該再生すべき前記部分記録情報が属する前記記録情報の指示を行うために用いられる再生指示手段と、各前記部分記録情報につき、前記記録情報の指示が行われたとき、当該指示された記録情報に属する前記部分記録情報を、前記記録テーブルに基づいて検出する検出手段と、前記検出された部分記録情報の再生処理を、前記再生終了位置情報により示される当該検出された部分記録情報の再生終了位置に対応する位置から再開する再生再開手段と、を備えることを特徴とする。【００１０】
上記の課題を解決するために、請求項５に記載の発明は、異なるタイミングで取得される複数の部分記録情報からなる記録情報を複数個記録媒体に記録する情報記録方法において、各前記記録情報の取得及び前記記録媒体への記録を指示するために用いられる指示工程と、前記指示工程における指示に基づいて、各前記部分記録情報を取得する取得工程と、前記指示に基づいて、各前記取得された部分記録情報の夫々につき、当該取得順に連番を付して前記記録媒体に当該取得順に記録する記録工程と、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む記録テーブルを生成する生成工程と、を備えることを特徴とする。【００１１】
上記の課題を解決するために、請求項６に記載の発明は、請求項５に記載の情報記録方法により前記記録媒体に記録されている前記部分記録情報を当該記録媒体から再生する情報再生方法において、各前記部分記録情報の夫々における再生終了位置情報を、各前記部分記録情報の再生処理の終了の度に当該各部分記録情報毎に記録する再生終了位置記録工程と、再生すべき前記部分記録情報の指定に当たり、当該再生すべき前記部分記録情報が属する前記記録情報の指示を行う再生指示工程と、各前記部分記録情報につき、前記記録情報の指示が行われたとき、当該指示された記録情報に属する前記部分記録情報を、前記記録テーブルに基づいて検出する検出工程と、前記検出された部分記録情報の再生処理を、前記再生終了位置情報により示される当該検出された部分記録情報の再生終了位置に対応する位置から再開する再生再開工程と、を備えることを特徴とする。【００１２】
上記の課題を解決するために、請求項７に記載の発明は、異なるタイミングで取得される複数の部分記録情報からなる記録情報を複数個記録媒体に記録する情報記録装置に含まれる記録コンピュータを、各前記記録情報の取得及び前記記録媒体への記録を指示するために用いられる指示手段、前記指示手段による指示に基づいて、各前記部分記録情報を取得する取得手段、前記指示に基づいて、各前記取得された部分記録情報の夫々につき、当該取得順に連番を付して前記記録媒体に当該取得順に記録する記録手段、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む記録テーブルを生成する生成手段、として機能させることを特徴とする。【００１３】
上記の課題を解決するために、請求項８に記載の発明は、請求項７に記載の情報記録用プログラムにより前記記録媒体に記録されている前記部分記録情報を当該記録媒体から再生する情報再生装置に含まれる記録コンピュータを、各前記部分記録情報の夫々における再生終了位置情報を、各前記部分記録情報の再生処理の終了の度に当該各部分記録情報毎に記録する再生終了位置記録手段、再生すべき前記部分記録情報の指定に当たり、当該再生すべき前記部分記録情報が属する前記記録情報の指示を行うために用いられる再生指示手段、各前記部分記録情報につき、前記記録情報の指示が行われたとき、当該指示された記録情報に属する前記部分記録情報を、前記記録テーブルに基づいて検出する検出手段、前記検出された部分記録情報の再生処理を、前記再生終了位置情報により示される当該検出された部分記録情報の再生終了位置に対応する位置から再開する再生再開手段、として機能させることを特徴とする。【００１４】
上記の課題を解決するために、請求項９に記載の発明は、請求項７に記載の情報記録用プログラムが前記記録コンピュータで読取可能に記録されている。【００１５】
上記の課題を解決するために、請求項１０に記載の発明は、請求項８に記載の情報再生用プログラムが前記再生コンピュータで読取可能に記録されている。
【図面の簡単な説明】
【００１６】
【図１】本願の情報処理装置の一実施形態を示すブロック図である。
【図２】一実施形態において番組予約を記録した録画タイトルテーブルを示す説明図である。
【図３】各番組の実際の記録態様を示す説明図である。
【図４】ユーザが個別に番組予約を行った場合、記録される録画タイトルテーブルを示す説明図である。
【図５】図３の録画タイトル番号の再生順序を示す説明図である。
【図６】一実施形態の再生処理を示すフローチャートである。
【符号の説明】
【００１７】
１    情報処理装置
１０    アンテナ
１１    チューナ部
１２    ＴＳ復調部
１３    ハードディスクドライブ
１３ａ  ハードディスク
１４    録画／再生制御部
１５    リモコン
１６    テレビ信号生成部
１７    ＴＶモニタ
【発明を実施するための最良の形態】
【００１８】
次に、本願を実施するための最良の形態について、図面に基づいて説明する。【００１９】
なお、以下に説明する実施の形態は、ＢＳ(Broadcasting Satellite)デジタル放送に代表されるようなデジタル放送にて配信されるＡＶ(Audio Visual)情報をハードディスクに記録することが可能とされていると共に、上記ＡＶ情報の再生処理も可能とされている情報処理装置に対してそれぞれ本願の情報記録装置及び情報再生装置を適用した場合の実施の形態である。【００２０】
また、以下の説明において、上記ＡＶ情報は、動画像の圧縮技術に関する規格として周知のＭＰＥＧ２規格におけるＴＳ（トランスポートストリーム）規格に則って放送されてくるものとする。【００２１】
（I）全体構成の実施形態
まず、図１を用いて当該情報処理装置の全体構成及び概要動作について説明する。なお、図１は本願の情報処理装置の一実施形態を示すブロック図である。【００２２】
図１に示すように、本実施形態の情報処理装置１は、デジタル放送を受信するアンテナ１０と、チューナ部１１と、ＴＳ復調部１２と、ハードディスク（以下、ＨＤという。）１３ａを内蔵したハードディスクドライブ（以下、ＨＤＤという。）１３と、録画／再生制御部１４と、ユーザの認証付きのリモコン１５と、テレビ信号生成部１６と、ＴＶ(Television)モニタ１７と、により構成されている。【００２３】
ここで、ＨＤ１３ａは、本願の記録手段、位置記録手段の一例を構成し、録画／再生制御部１４は、本願の取得手段、検出手段、生成手段及び再生再開手段の一例を構成する。また、ＴＶモニタ１７は、本願の再生手段の一例を構成し、リモコン１５は、本願の指示手段、再生指示手段の一例を構成する。【００２４】
次に、概要動作について説明する。【００２５】
まず、放送された番組の番組情報をＨＤ１３ａに記録する場合、当該番組情報を含む電波をアンテナ１０で受信し、ユーザの認証付きのリモコン１５をユーザが操作することにより番組を選定すると、チューナ部１１は、その受信信号をＴＳ復調部１２に出力する。このＴＳ復調部１２では、受信信号が圧縮符号化された映像信号及び音声信号を復号化してＨＤＤ１３に出力する。【００２６】
ＨＤＤ１３では、復号化された映像信号及び音声信号をＨＤ１３ａに記録する。【００２７】
次に記録された番組情報を再生する場合、当該記録された映像信号及び音声信号は、ＨＤ１３ａから読み出されてテレビ信号生成部１８に出力される。このテレビ信号生成部１８では、映像信号及び音声信号をテレビ信号として生成し、ＴＶモニタ３に出力する。【００２８】
ＴＶモニタ３は、映像信号が入力されると、当該入力された映像信号に対応する画像を出力すると共に、図示しないスピーカに音声信号が入力されると、当該入力された音声信号に対応する音声を拡声する。【００２９】
（II）記録処理の実施形態
次に、録画／再生制御部１４によるＨＤ１３ａへの記録処理について、図２及び図３を参照して説明する。なお、図２は例えば毎週定期的に放送される番組に対して番組予約を記録した録画タイトルテーブルを示す説明図、図３は各番組の実際の記録態様を示す説明図である。【００３０】
図２は例えば毎週定期的に放送される番組を３名のユーザが個別に番組予約を行った場合、ＨＤ１３ａ上に記録される録画タイトルテーブルを示している。【００３１】
図２において、番組１〜６は、シリーズ化された各番組を示し、放送曜日・時間・チャンネル・録画モード・指定ユーザは、それぞれ予約したシリーズ化された番組の放送曜日、放送時間、放送チャンネル、録画する記録モード、録画を指定した指定ユーザの番号である。この指定ユーザの番号は、複数のユーザによって予約する場合、各ユーザを識別するために付される番号であり、１人の場合には不要である。【００３２】
また、録画タイトルにおける番号は、録画タイトルとしてＨＤ１３ａ上に記録されていく順序を示し、つまりＨＤ１３ａ上に記録するための管理番号である。そして、録画順序は、番組の予約順序によらず、一般的には時間的連続性でＨＤ１３ａ上に記録されていく。なお、録画タイトル番号の括弧内の数字は、記録された年月日である。【００３３】
ここで、本実施形態の記録処理においては、各録画タイトルはそれらが放送されたままの形態で符号化映像信号及び符号化音声信号として記録されているのであるが、後述する再生処理の説明においては、各録画タイトルは図３に示すような記録態様で記録されている。【００３４】
具体的には、図２に示すように番組１は、放送曜日が日曜日、放送時間が１９：００〜１９：２５、放送チャンネルが３チャンネル、録画モードがＳＰ（標準録画モード）、指定ユーザ番号１，２，３の３ユーザが録画したことを示している。そして、番組１は、録画タイトル１，６，１０，１３の順序で記録され、それぞれ２００３年１１月２日、２００３年１１月９日、２００３年１１月１６日、２００３年１１月２３日に記録される。【００３５】
番組２は、放送曜日が月曜日、放送時間が１９：３０〜２０：００、放送チャンネルが４チャンネル、録画モードがＳＰ、指定ユーザ番号１，２，３の３ユーザが録画したことを示している。そして、番組２は、録画タイトル２，７，１１，１４の順序で記録され、それぞれ２００３年１１月３日、２００３年１１月１０日、２００３年１１月１７日、２０３年１１月２４日に記録される。【００３６】
番組３は、放送曜日が月曜日、放送時間が２１：００〜２１：５５、放送チャンネルが４チャンネル、録画モードがＳＰ、指定ユーザ番号１，２，３の３ユーザが録画したことを示している。そして、番組３は、録画タイトル３，８，１２，１５の順序で記録され、それぞれ２００３年１１月３日、２００３年１１月１０日、２００３年１１月１７日、２０３年１１月２４日に記録される。【００３７】
番組４は、放送曜日が火曜日、放送時間が１０：００〜１１：００、放送チャンネルが８チャンネル、録画モードがＬＰ（長時間記録モード）、指定ユーザ番号１の１ユーザが録画したことを示している。そして、番組４は、録画タイトル４の順序で記録され、２００３年１１月４日に記録される。【００３８】
番組５は、放送曜日が金曜日、放送時間が２０：００〜２０：３０、放送チャンネルが６チャンネル、録画モードがＳＰ、指定ユーザ番号２の１ユーザが録画したことを示している。そして、番組５は、録画タイトル５の順序で記録され、２００３年１１月７日に記録される。【００３９】
番組６は、放送曜日が水曜日、放送時間が２１：００〜２３：００、放送チャンネルが１２チャンネル、録画モードがＳＰ、指定ユーザ番号３の１ユーザが録画したことを示している。そして、番組６は、録画タイトル９の順序で記録され、２００３年１１月１２日に記録される。【００４０】
したがって、録画タイトル１〜１５に示す記録情報は、図３に示すような時系列的順序にて順次ＨＤ１３ａ上に記録されていくことになる。【００４１】
具体的に、まず録画タイトル１は、放送日が２００３年１１月２日、放送曜日が日曜日、放送時間が１９：００〜１９：２５、放送チャンネルが３チャンネル、録画モードがＳＰで記録したことを示している。【００４２】
次に、録画タイトル２が記録され、当該録画タイトル２は、放送日が２００３年１１月３日、放送曜日が月曜日、放送時間が１９：３０〜２０：００、放送チャンネルが４チャンネル、録画モードがＳＰで記録したことを示している。【００４３】
さらに、録画タイトル３が記録され、当該録画タイトル３は、放送日が２００３年１１月３日、放送曜日が月曜日、放送時間が２１：００〜２１：５５、放送チャンネルが４チャンネル、録画モードがＳＰで記録したことを示している。【００４４】
このようにして図２に示す録画タイトル１〜１５に示す記録情報は、図３に示すように順次ＨＤ１３ａ上に記録していくことになる。ここで、各録画タイトルを管理する管理情報は、図３に示すように放送年月日、放送曜日、放送時間、放送チャンネル、記録モードに区分して記録される。【００４５】
（III）再生処理の実施形態
次に、図４を用いて再生制御テーブルについて説明する。【００４６】
図４に示す再生制御テーブルは、使用するユーザ毎（１人以上のユーザ管理を可能とする。）の各番組再生開始アドレスと、同一番組を構成するタイトルチェーンリストからなり、ユーザが番組の再生を指定すると、再生開始アドレスから読み込んだ再生開始位置からタイトルチェーンリストに従って順次録画タイトルを再生する。ここで、上記再生開始位置は、前回の再生を終了した位置である。【００４７】
さらに、図４において、指定ユーザ１〜Ｍは、ユーザの番号である。タイトルチェーンリストは、ＨＤ１３ａ上において同一シリーズの録画タイトルが記録されていく順序を示し、録画タイトルの一のシリーズ内における連続性を示している。【００４８】
そして、再生制御テーブルは、次のようにして生成される。【００４９】
まず、記録済みの録画タイトルを録画予約情報などからＨＤ１３ａ上に存在する再生制御テーブルに指定ユーザ、番組、番組の連続性を示すタイトルチェーンリストを作成し、再生開始アドレスにタイトルチェーンリストで示される最初の録画タイトルの開始位置を記録することにより、初期化を実行する。つまり、当該初期化処理は、図３に示す録画タイトルテーブルから図４に示す再生制御テーブルを作成する。【００５０】
具体的には、ユーザ番号１のユーザが番組１の再生を初めて開始した場合、録画タイトル１の最初の記録位置から再生が開始される。そして、順次録画タイトル６，１０，１３と続く。【００５１】
すなわち、図５に示すように録画タイトル１を再生した後は、録画タイトル１〜１５に示す記録情報が図３に示すように時系列的順序にて記録されていることから、録画タイトル２〜５をスキップ（飛び越し）して、録画タイトル６を再生する。次いで、録画タイトル７〜９をスキップして、録画タイトル１０を再生する。さらに、録画タイトル１１，１２をスキップして、録画タイトル１３を再生する。【００５２】
ここで、録画タイトルの再生が録画タイトル１の最初から５分の再生位置で中止した場合には、５分間再生したので、再生開始アドレスに録画タイトル１の５分から次回の再生を開始するように、その値を記録する。すなわち、図４に示す再生開始アドレスには、「タイトル１：00h05m00s00f」と記録される。ここで、ｈは時間、ｍは分、ｓは秒、ｆはフレームである。【００５３】
一方、ユーザ番号１のユーザが番組２の再生を初めて開始した場合、録画タイトル２の最初の記録位置から再生が開始される。そして、順次録画タイトル７，１１，１４と続く。【００５４】
録画タイトル２の再生が終了し、録画タイトル７の最初から５分３０秒の再生位置で再生を中止した場合には、５分３０秒再生したので、再生開始アドレスに録画タイトル７の５分３０秒から次回の再生を開始するように、その値を記録する。すなわち、図４に示す再生開始アドレスには、「タイトル７：00h05m30s00f」と記録される。【００５５】
さらに、ユーザ番号１のユーザが番組３の再生を初めて開始した場合、録画タイトル３の最初の記録位置から再生が開始される。そして、順次録画タイトル８，１２，１５と続く。【００５６】
録画タイトル３，８の再生が終了し、録画タイトル１２の最初から２５分３０秒の再生位置で中止した場合には、２５分３０秒再生したので、再生開始アドレスに録画タイトル１２の２５分３０秒から次回の再生を開始するように、その値を記録する。すなわち、図４に示す再生開始アドレスには、「タイトル１２：00h25m30s00f」と記録される。【００５７】
以下、同様に録画タイトルの最初の記録位置から再生が開始され、順次タイトルチェーンリストに従って再生される。そして、録画タイトルの再生が当該録画タイトルの最初から途中の再生位置で中止した場合には、その再生終了位置まで再生したので、再生開始アドレスに録画タイトルの再生終了位置を記録し、当該再生終了位置から次回の再生を開始するようにしている。【００５８】
次に、図６のフローチャートを用いて再生処理を具体的に説明する。【００５９】
まず、ステップＳ１では、録画／再生制御部１４がＨＤ１３ａから再生を指定したユーザ番号Ｍ及び再生を指定した番組番号Ｎを取得する。【００６０】
ステップＳ２では、録画／再生制御部１４が再生制御テーブルから指定ユーザ番号Ｍ及び番組番号Ｎに相当する再生開始アドレス（録画タイトルＩ、開始時間Ｔ）を読み取る。【００６１】
ステップＳ３では、録画／再生制御部１４が録画タイトルＩ、開始時間Ｔをサーチし、再生を開始する。【００６２】
ステップＳ４では、再生を終了する旨の信号が入力されたか否かを判定し、再生を終了する旨の信号が入力された場合（ステップＳ４；ＹＥＳ）には、ステップＳ５に進む。【００６３】
ステップＳ５では、再生を終了し、再生終了位置を指定ユーザ番号Ｍ、番組番号Ｎの再生開始アドレスに記録した後、再生処理を終了する。【００６４】
また、ステップＳ４で再生を終了する旨の信号が入力されない場合（ステップＳ４；ＮＯ）には、ステップＳ６に進み、ステップＳ６では、録画タイトルＩの再生が終了したか否かを判定する。録画タイトルＩの再生が終了した場合（ステップＳ６；ＹＥＳ）には、ステップＳ７に進む。また、再生が終了しない場合（ステップＳ６；ＮＯ）には、ステップＳ４に戻り、録画タイトルＩの再生を継続する。【００６５】
ステップＳ７では、指定ユーザ番号Ｍ、番組番号Ｎに相当するタイトルチェーンリストから録画タイトルＩに続く次に再生する録画タイトル番号を取得し、再生開始時間を当該取得した録画タイトル番号の開始位置に記録する。【００６６】
ステップＳ８では、タイトルチェーンリストの全録画タイトルの再生が終了したか否かを判定し、全録画タイトルの再生が終了した場合（ステップＳ８；ＹＥＳ）には、再生処理を終了する。また、全録画タイトルの再生が終了しない場合（ステップＳ８；ＮＯ）には、ステップＳ４に戻る。【００６７】
以上説明したように、本実施形態の情報処理装置１によれば、異なるタイミングで取得される複数の部分記録情報からなる記録情報を指示手段による指示に基づいて、各部分記録情報を取得し、各前記取得された部分記録情報の夫々につき、当該取得順に連番を付して前記記録媒体に当該取得順に記録し、記録された各前記部分記録情報の夫々に基づいて、当該各部分記録情報に対応する番号と、当該各部分記録情報が属する記録情報を示す記録情報指示情報と、当該各部分記録情報の記録媒体への記録を指示した指示者を示す指示者情報と、当該各部分記録情報が記録媒体に記録されたタイミングを示す記録日時情報と、を少なくとも含む記録テーブルを生成するようにしたことにより、異なるタイミングで取得される複数の部分記録情報からなる記録情報の再生における利便性を向上させることができる。【００６８】
また、本実施形態の情報処理装置１によれば、各部分記録情報の夫々における再生終了位置情報を、各部分記録情報の再生処理の終了の度に当該各部分記録情報毎に記録し、各部分記録情報につき、記録情報の指示が行われたとき、当該指示された記録情報に属する部分記録情報を、記録テーブルに基づいて検出し、当該検出された部分記録情報の再生処理を、再生終了位置情報により示される当該検出された部分記録情報の再生終了位置に対応する位置から再開するようにしたので、異なるタイミングで取得される複数の部分記録情報をユーザが編集することなく、擬似的に一のシリーズとして連続的に再生することができる。【００６９】
また、複数の部分記録情報の再生終了前に再生を終了した場合、再生終了位置情報から再生を開始することにより、再生を終了した位置をユーザが指定することなく、再生することができるので、操作性を向上させることができる。【００７０】
なお、本願は上記実施の形態に限定されることなく、種々の変更が可能である。【００７１】
例えば、上記実施の形態では、ＢＳデジタル放送などの電波を受信して映像信号などを取得するようにしたが、これ以外にアナログ地上波ＴＶ放送の電波や、インターネット又は専用回線を介したサーバＶＯＤ(Video On Demand)から映像信号などを取得するようにしてもよい。【００７２】
また、上記実施の形態では、記録媒体としてＨＤ１３ａを用いた場合について説明したが、これ以外に情報の書き換えが可能なＤＶＤやフラッシュメモリなどの各種記録媒体を使用することができる。【００７３】
さらに、図６に示すフローチャートに対応するプログラムを、フレキシブルディスク又はＨＤなどの情報記録媒体に記録させておき、或いは当該プログラムをインターネットなどのネットワークを介して取得した後に記録しておき、これらを汎用のマイクロコンピュータなどにより読み出して実行することにより、当該マイクロコンピュータを実施形態に係る記録／再生制御部１４などとして機能させることが可能である。
【図１】
2005101410.tif 000002
【図２】
2005101410.tif 000003
【図３】
2005101410.tif 000004
【図４】
2005101410.tif 000005
【図５】
2005101410.tif 000006
【図６】
2005101410.tif 000007
【手続補正書】
【提出日】平成17年9月29日(2005.9.29)
【手続補正１】
【補正対象書類名】特許請求の範囲
【補正対象項目名】全文
【補正方法】変更
【補正の内容】
【書類名】特許請求の範囲【請求項１】  異なるタイミングで取得される複数の部分記録情報からなる記録情報を複数個記録媒体に記録する情報記録装置において、  各前記記録情報の取得及び前記記録媒体への記録を指示するために用いられる指示手段と、  前記指示手段による指示に基づいて、各前記部分記録情報を取得する取得手段と、  前記指示に基づいて、各前記取得された部分記録情報の夫々につき、時間的な取得順に連番を付して前記記録媒体に当該取得順に記録する記録手段と、  記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段と、  を備えることを特徴とする情報記録装置。【請求項２】  前記録画タイトルテーブルに基づいて前記記録情報の再生を制御する再生制御テーブルを作成する手段をさらに備え、  前記再生制御テーブルにおける前記記録情報は、前記指示者情報に基づいて当該指示者毎に複数並べられ、  前記再生制御テーブルにおける前記部分記録情報は、前記記録情報指示情報に基づいて対応する前記記録情報に対して関連付けられることを特徴とする請求項１に記載の情報記録装置。【請求項３】  請求項１及び２のいずれかに一項に記載の情報記録装置により前記記録媒体に記録されている前記部分記録情報を当該記録媒体から再生する情報再生装置において、  各前記部分記録情報の夫々における再生終了位置情報を、各前記部分記録情報の再生処理の終了の度に当該各部分記録情報毎に記録する再生終了位置記録手段と、  再生すべき前記部分記録情報の指定に当たり、当該再生すべき前記部分記録情報が属する前記記録情報の指示を行うために用いられる再生指示手段と、  各前記部分記録情報につき、前記記録情報の指示が行われたとき、当該指示された記録情報に属する前記部分記録情報を、前記録画タイトルテーブルに基づいて検出する検出手段と、  前記検出された部分記録情報の再生処理を、前記再生終了位置情報により示される当該検出された部分記録情報の再生終了位置に対応する位置から再開する再生再開手段と、  を備えることを特徴とする情報再生装置。【請求項４】  前記録画タイトルテーブルに基づいて前記記録情報の再生を制御する再生制御テーブルを作成する手段をさらに備え、  前記再生制御テーブルにおける前記記録情報は、前記指示者情報に基づいて当該指示者毎に複数並べられ、  前記再生制御テーブルにおける前記部分記録情報は、前記記録情報指示情報に基づいて対応する前記記録情報に対して関連付けられることを特徴とする請求項３に記載の情報再生装置。【請求項５】  異なるタイミングで取得される複数の部分記録情報からなる記録情報を複数個記録媒体に記録する情報記録方法において、  各前記記録情報の取得及び前記記録媒体への記録を指示するために用いられる指示工程と、  前記指示工程における指示に基づいて、各前記部分記録情報を取得する取得工程と、  前記指示に基づいて、各前記取���された部分記録情報の夫々につき、時間的な取得順に連番を付して前記記録媒体に当該取得順に記録する記録工程と、  記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成工程と、  を備えることを特徴とする情報記録方法。【請求項６】  請求項５に記載の情報記録方法により前記記録媒体に記録されている前記部分記録情報を当該記録媒体から再生する情報再生方法において、  各前記部分記録情報の夫々における再生終了位置情報を、各前記部分記録情報の再生処理の終了の度に当該各部分記録情報毎に記録する再生終了位置記録工程と、  再生すべき前記部分記録情報の指定に当たり、当該再生すべき前記部分記録情報が属する前記記録情報の指示を行う再生指示工程と、  各前記部分記録情報につき、前記記録情報の指示が行われたとき、当該指示された記録情報に属する前記部分記録情報を、前記録画タイトルテーブルに基づいて検出する検出工程と、  前記検出された部分記録情報の再生処理を、前記再生終了位置情報により示される当該検出された部分記録情報の再生終了位置に対応する位置から再開する再生再開工程と、  を備えることを特徴とする情報再生方法。【請求項７】  異なるタイミングで取得される複数の部分記録情報からなる記録情報を複数個記録媒体に記録する情報記録装置に含まれる記録コンピュータを、  各前記記録情報の取得及び前記記録媒体への記録を指示するために用いられる指示手段、  前記指示手段による指示に基づいて、各前記部分記録情報を取得する取得手段、  前記指示に基づいて、各前記取得された部分記録情報の夫々につき、時間的な取得順に連番を付して前記記録媒体に当該取得順に記録する記録手段、  記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段、  として機能させることを特徴とする情報記録用プログラム。【請求項８】  請求項７に記載の情報記録用プログラムにより前記記録媒体に記録されている前記部分記録情報を当該記録媒体から再生する情報再生装置に含まれる記録コンピュータを、  各前記部分記録情報の夫々における再生終了位置情報を、各前記部分記録情報の再生処理の終了の度に当該各部分記録情報毎に記録する再生終了位置記録手段、  再生すべき前記部分記録情報の指定に当たり、当該再生すべき前記部分記録情報が属する前記記録情報の指示を行うために用いられる再生指示手段、  各前記部分記録情報につき、前記記録情報の指示が行われたとき、当該指示された記録情報に属する前記部分記録情報を、前記録画タイトルテーブルに基づいて検出する検出手段、  前記検出された部分記録情報の再生処理を、前記再生終了位置情報により示される当該検出された部分記録情報の再生終了位置に対応する位置から再開する再生再開手段、  として機能させることを特徴とする情報再生用プログラム。【請求項９】  請求項７に記載の情報記録用プログラムが前記記録コンピュータで読取可能に記録されていることを特徴とする情報記録媒体。【請求項１０】  請求項８に記載の情報再生用プログラムが前記記録コンピュータで読取可能に記録されていることを特徴とする情報記録媒体。【手続補正２】
【補正対象書類名】明細書
【補正対象項目名】０００２
【補正方法】変更
【補正の内容】
【０００２】再生するか、あるいは記録した定期的に連続して放送される番組を予め編集して連続して配置しなければ、ある番組を再生したときに連続的に視聴することができないという不具合がある。［０００６］  また、あるシリーズ化された番組の連続再生を中止して別の番組の再生を行った後、再び中止した番組の再生を継続しようとした場合には、中止した番組の再生終了位置をユーザが指定して再度再生する必要があった。［０００７］  そこで、本願は、上記の事情を考慮してなされたもので、その課題の一例は、異なるタイミングで取得される複数の部分記録情報からなる記録情報の再生における利便性を向上させることが可能な情報記録装置及び情報記録方法、当該記録に用いられる情報記録用プログラム、異なるタイミングで取得される複数の部分記録情報をユーザが編集することなく、連続的に再生可能とした情報再生装置及び情報再生方法、当該再生に用いられる情報再生用プログラム、当該情報記録用プログラム又は情報再生用プログラムが記録された情報記録媒体の技術分野を提供することにある。【課題を解決するための手段】［０００８］  上記の課題を解決するため、請求項１に記載の発明は、異なるタイミングで取得される複数の部分記録情報からなる記録情報を複数個記録媒体に記録する情報記録装置において、各前記記録情報の取得及び前記記録媒体への記録を指示するために用いられる指示手段と、前記指示手段による指示に基づいて、各前記部分記録情報を取得する取得手段と、前記指示に基づいて、各前記取得された部分記録情報の夫々につき、時間的な取得順に連番を付して前記記録媒体に当該取得順に記録する記録手段と、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段と、を備えることを特徴とする。［０００９］  上記の課題を解決するために、請求項３に記載の発明は、請求項１及び２のいず【手続補正３】
【補正対象書類名】明細書
【補正対象項目名】０００３
【補正方法】変更
【補正の内容】
【０００３】れかに一項に記載の情報記録装置により前記記録媒体に記録されている前記部分記録情報を当該記録媒体から再生する情報再生装置において、各前記部分記録情報の夫々における再生終了位置情報を、各前記部分記録情報の再生処理の終了の度に当該各部分記録情報毎に記録する再生終了位置記録手段と、再生すべき前記部分記録情報の指定に当たり、当該再生すべき前記部分記録情報が属する前記記録情報の指示を行うために用いられる再生指示手段と、各前記部分記録情報につき、前記記録情報の指示が行われたとき、当該指示された記録情報に属する前記部分記録情報を、前記録画タイトルテーブルに基づいて検出する検出手段と、前記検出された部分記録情報の再生処理を、前記再生終了位置情報により示される当該検出された部分記録情報の再生終了位置に対応する位置から再開する再生再開手段と、を備えることを特徴とする。［００１０］  上記の課題を解決するために、請求項５に記載の発明は、異なるタイミングで取得される複数の部分記録情報からなる記録情報を複数個記録媒体に記録する情報記録方法において、各前記記録情報の取得及び前記記録媒体への記録を指示するために用いられる指示工程と、前記指示工程における指示に基づいて、各前記部分記録情報を取得する取得工程と、前記指示に基づいて、各前記取得された部分記録情報の夫々につき、時間的な取得順に連番を付して前記記録媒体に当該取得順に記録する記録工程と、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成工程と、を備えることを特徴とする。［００１１］  上記の課題を解決するために、請求項６に記載の発明は、請求項５に記載の情報記録方法により前記記録媒体に記録されている前記部分記録情報を当該記録媒体から再生する情報再生方法において、各前記部分記録情報の夫々における再生終了位置情報を、各前記部分記録情報の再生処理の終了の度に当該各部分記録情報毎に記録する再生終了位置記録工程と、再生すべき前記部分記録情報の指定に【手続補正４】
【補正対象書類名】明細書
【補正対象項目名】０００４
【補正方法】変更
【補正の内容】
【０００４】当たり、当該再生すべき前記部分記録情報が属する前記記録情報の指示を行う再生指示工程と、各前記部分記録情報につき、前記記録情報の指示が行われたとき、当該指示された記録情報に属する前記部分記録情報を、前記録画タイトルテーブルに基づいて検出する検出工程と、前記検出された部分記録情報の再生処理を、前記再生終了位置情報により示される当該検出された部分記録情報の再生終了位置に対応する位置から再開する再生再開工程と、を備えることを特徴とする。［００１２］  上記の課題を解決するために、請求項７に記載の発明は、異なるタイミングで取得される複数の部分記録情報からなる記録情報を複数個記録媒体に記録する情報記録装置に含まれる記録コンピュータを、各前記記録情報の取得及び前記記録媒体への記録を指示するために用いられる指示手段、前記指示手段による指示に基づいて、各前記部分記録情報を取得する取得手段、前記指示に基づいて、各前記取得された部分記録情報の夫々につき、時間的な取得順に連番を付して前記記録媒体に当該取得順に記録する記録手段、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段、として機能させることを特徴とする。［００１３］  上記の課題を解決するために、請求項８に記載の発明は、請求項７に記載の情報記録用プログラムにより前記記録媒体に記録されている前記部分記録情報を当該記録媒体から再生する情報再生装置に含まれる記録コンピュータを、各前記部分記録情報の夫々における再生終了位置情報を、各前記部分記録情報の再生処理の終了の度に当該各部分記録情報毎に記録する再生終了位置記録手段、再生すべき前記部分記録情報の指定に当たり、当該再生すべき前記部分記録情報が属する前記記録情報の指示を行うために用いられる再生指示手段、各前記部分記録情報につき、前記記録情報の指示が行われたとき、当該指示された記録情報に属する前記部分記録情報を、前記録画タイトルテーブルに基づいて検出する検出手段、前記検出された部分記録情報の再生処理を、前記再生終了位置情報により示される当該検出さ【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
異なるタイミングで取得される複数の部分記録情報からなる記録情報を複数個記録媒体に記録する情報記録装置において、
各前記記録情報の取得及び前記記録媒体への記録を指示するために用いられる指示手段と、
前記指示手段による指示に基づいて、各前記部分記録情報を取得する取得手段と、
前記指示に基づいて、各前記取得された部分記録情報の夫々につき、時間的な取得順に連番を付して前記記録媒体に当該取得順に記録する記録手段と、
記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段と、
各前記部分記録情報の再生を終了させた再生終了位置に対応する再生開始位置を、前記指示者情報ごとに管理する管理手段と、
を備えることを特徴とする情報記録装置。
【請求項２】
前記録画タイトルテーブルに基づいて前記記録情報の再生を制御する再生制御テーブルを作成する手段をさらに備え、
前記再生制御テーブルにおける前記記録情報は、前記指示者情報に基づいて当該指示者毎に複数設けられ、
前記再生制御テーブルにおける前記部分記録情報は、前記記録情報指示情報に基づいて対応する前記記録情報に対して関連付けられることを特徴とする請求項１に記載の情報記録装置。
【請求項３】
請求項１及び２のいずれか一項に記載の情報記録装置により前記記録媒体に記録されている前記部分記録情報を当該記録媒体から再生する情報再生装置において、
各前記部分記録情報の夫々における再生終了位置情報を、各前記部分記録情報の再生処理の終了の度に当該各部分記録情報毎に記録する再生終了位置記録手段と、
再生すべき前記部分記録情報の指定に当たり、当該再生すべき前記部分記録情報が属する前記記録情報の指示を行うために用いられる再生指示手段と、
各前記部分記録情報につき、前記記録情報の指示が行われたとき、当該指示された記録情報に属する前記部分記録情報を、前記録画タイトルテーブルに基づいて検出する検出手段と、
前記検出された部分記録情報の再生処理を、前記再生終了位置情報により示される当該検出された部分記録情報の再生終了位置に対応する位置から再開する再生再開手段と、
前記再生再開手段の前記再生終了位置情報を前記指示者情報毎に管理する管理手段と、
を備えることを特徴とする情報再生装置。
【請求項４】
前記録画タイトルテーブルに基づいて前記記録情報の再生を制御する再生制御テーブルを作成する手段をさらに備え、
前記再生制御テーブルにおける前記記録情報は、前記指示者情報に基づいて当該指示者毎に複数設けられ、
前記再生制御テーブルにおける前記部分記録情報は、前記記録情報指示情報に基づいて対応する前記記録情報に対して関連付けられることを特徴とする請求項３に記載の情報再生装置。
【請求項５】
異なるタイミングで取得される複数の部分記録情報からなる記録情報を複数個記録媒体に記録する情報記録方法において、
各前記記録情報の取得及び前記記録媒体への記録を指示するために用いられる指示工程と、
前記指示工程における指示に基づいて、各前記部分記録情報を取得する取得工程と、
前記指示に基づいて、各前記取得された部分記録情報の夫々につき、時間的な取得順に連番を付して前記記録媒体に当該取得順に記録する記録工程と、
記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成工程と、
各前記部分記録情報の再生を終了させた再生終了位置に対応する再生開始位置を、前記指示者情報ごとに管理する管理工程と、
を備えることを特徴とする情報記録方法。
【請求項６】
請求項５に記載の情報記録方法により前記記録媒体に記録されている前記部分記録情報を当該記録媒体から再生する情報再生方法において、
各前記部分記録情報の夫々における再生終了位置情報を、各前記部分記録情
報の再生処理の終了の度に当該各部分記録情報毎に記録する再生終了位置記録工程と、
再生すべき前記部分記録情報の指定に当たり、当該再生すべき前記部分記録情報が属する前記記録情報の指示を行う再生指示工程と、
各前記部分記録情報につき、前記記録情報の指示が行われたとき、当該指示された記録情報に属する前記部分記録情報を、前記録画タイトルテーブルに基づいて検出する検出工程と、
前記検出された部分記録情報の再生処理を、前記再生終了位置情報により示される当該検出された部分記録情報の再生終了位置に対応する位置から再開する再生再開工程と、
前記再生再開手段の前記再生終了位置情報を前記指示者情報毎に管理する管理工程と、
を備えることを特徴とする情報再生方法。
【請求項７】
異なるタイミングで取得される複数の部分記録情報からなる記録情報を複数個記録媒体に記録する情報記録装置に含まれる記録コンピュータを、
各前記記録情報の取得及び前記記録媒体への記録を指示するために用いられる指示手段、
前記指示手段による指示に基づいて、各前記部分記録情報を取得する取得手段、
前記指示に基づいて、各前記取得された部分記録情報の夫々につき、時間的な取得順に連番を付して前記記録媒体に当該取得順に記録する記録手段、
記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段、
各前記部分記録情報の再生を終了させた再生終了位置に対応する再生開始位置を、前記指示者情報ごとに管理する管理手段、
として機能させることを特徴とする情報記録用プログラム。
【請求項８】
請求項７に記載の情報記録用プログラムにより前記記録媒体に記録されている前記部分記録情報を当該記録媒体から再生する情報再生装置に含まれる記録コンピュータを、
各前記部分記録情報の夫々における再生終了位置情報を、各前記部分記録情報の再生処理の終了の度に当該各部分記録情報毎に記録する再生終了位置記録手段、
再生すべき前記部分記録情報の指定に当たり、当該再生すべき前記部分記録情報が属する前記記録情報の指示を行うために用いられる再生指示手段、
各前記部分記録情報につき、前記記録情報の指示が行われたとき、当該指示された記録情報に属する前記部分記録情報を、前記録画タイトルテーブルに基づいて検出する検出手段、
前記検出された部分記録情報の再生処理を、前記再生終了位置情報により示される当該検出された部分記録情報の再生終了位置に対応する位置から再開する再生再開手段、
前記再生再開手段の前記再生終了位置情報を前記指示者情報毎に管理する管理手段、
として機能させることを特徴とする情報再生用プログラム。
【請求項９】
請求項７に記載の情報記録用プログラムが前記記録コンピュータで読取可能に記録されていることを特徴とする情報記録媒体。
【請求項１０】
請求項８に記載の情報再生用プログラムが前記記録コンピュータで読取可能に記録されていることを特徴とする情報記録媒体。
【手続補正２】
【補正対象書類名】明細書
【補正対象項目名】０００８
【補正方法】変更
【補正の内容】
【０００８】
上記の課題を解決するため、請求項１に記載の発明は、異なるタイミングで取得される複数の部分記録情報からなる記録情報を複数個記録媒体に記録する情報記録装置において、各前記記録情報の取得及び前記記録媒体への記録を指示するために用いられる指示手段と、前記指示手段による指示に基づいて、各前記部分記録情報を取得する取得手段と、前記指示に基づいて、各前記取得された部分記録情報の夫々につき、時間的な取得順に連番を付して前記記録媒体に当該取得順に記録する記録手段と、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段と、各前記部分記録情報の再生を終了させた再生終了位置に対応する再生開始位置を、前記指示者情報ごとに管理する管理手段と、を備えることを特徴とする。
【手続補正３】
【補正対象書類名】明細書
【補正対象項目名】０００９
【補正方法】変更
【補正の内容】
【０００９】
上記の課題を解決するために、請求項３に記載の発明は、請求項１及び２のいずれかに一項に記載の情報記録装置により前記記録媒体に記録されている前記部分記録情報を当該記録媒体から再生する情報再生装置において、各前記部分記録情報の夫々における再生終了位置情報を、各前記部分記録情報の再生処理の終了の度に当該各部分記録情報毎に記録する再生終了位置記録手段と、再生すべき前記部分記録情報の指定に当たり、当該再生すべき前記部分記録情報が属する前記記録情報の指示を行うために用いられる再生指示手段と、各前記部分記録情報につき、前記記録情報の指示が行われたとき、当該指示された記録情報に属する前記部分記録情報を、前記録画タイトルテーブルに基づいて検出する検出手段と、前記検出された部分記録情報の再生処理を、前記再生終了位置情報により示される当該検出された部分記録情報の再生終了位置に対応する位置から再開する再生再開手段と、前記再生再開手段の前記再生終了位置情報を前記指示者情報毎に管理する管理手段と、を備えることを特徴とする。
【手続補正４】
【補正対象書類名】明細書
【補正対象項目名】００１０
【補正方法】変更
【補正の内容】
【００１０】
上記の課題を解決するために、請求項５に記載の発明は、異なるタイミングで取得される複数の部分記録情報からなる記録情報を複数個記録媒体に記録する情報記録方法において、各前記記録情報の取得及び前記記録媒体への記録を指示するために用いられる指示工程と、前記指示工程における指示に基づいて、各前記部分記録情報を取得する取得工程と、前記指示に基づいて、各前記取得された部分記録情報の夫々につき、時間的な取得順に連番を付して前記記録媒体に当該取得順に記録する記録工程と、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成工程と、各前記部分記録情報の再生を終了させた再生終了位置に対応する再生開始位置を、前記指示者情報ごとに管理する管理工程と、を備えることを特徴とする。
【手続補正５】
【補正対象書類名】明細書
【補正対象項目名】００１１
【補正方法】変更
【補正の内容】
【００１１】
上記の課題を解決するために、請求項６に記載の発明は、請求項５に記載の情報記録方法により前記記録媒体に記録されている前記部分記録情報を当該記録媒体から再生する情報再生方法において、各前記部分記録情報の夫々における再生終了位置情報を、各前記部分記録情報の再生処理の終了の度に当該各部分記録情報毎に記録する再生終了位置記録工程と、再生すべき前記部分記録情報の指定に当たり、当該再生すべき前記部分記録情報が属する前記記録情報の指示を行う再生指示工程と、各前記部分記録情報につき、前記記録情報の指示が行われたとき、当該指示された記録情報に属する前記部分記録情報を、前記録画タイトルテーブルに基づいて検出する検出工程と、前記検出された部分記録情報の再生処理を、前記再生終了位置情報により示される当該検出された部分記録情報の再生終了位置に対応する位置から再開する再生再開工程と、前記再生再開手段の前記再生終了位置情報を前記指示者情報毎に管理する管理工程と、を備えることを特徴とする。
【手続補正６】
【補正対象書類名】明細書
【補正対象項目名】００１２
【補正方法】変更
【補正の内容】
【００１２】
上記の課題を解決するために、請求項７に記載の発明は、異なるタイミングで取得される複数の部分記録情報からなる記録情報を複数個記録媒体に記録する情報記録装置に含まれる記録コンピュータを、各前記記録情報の取得及び前記記録媒体への記録を指示するために用いられる指示手段、前記指示手段による指示に基づいて、各前記部分記録情報を取得する取得手段、前記指示に基づいて、各前記取得された部分記録情報の夫々につき、時間的な取得順に連番を付して前記記録媒体に当該取得順に記録する記録手段、記録された各前記部分記録情報の夫々に基づいて、当該各部分記録情報に対応する番号と、当該各部分記録情報が属する前記記録情報を示す記録情報指示情報と、当該各部分記録情報の前記記録媒体への記録を指示した指示者を示す指示者情報と、当該各部分記録情報が前記記録媒体に記録されたタイミングを示す記録日時情報と、を少なくとも含む録画タイトルテーブルを生成する生成手段、各前記部分記録情報の再生を終了させた再生終了位置に対応する再生開始位置を、前記指示者情報ごとに管理する管理手段、として機能させることを特徴とする。
【手続補正７】
【補正対象書類名】明細書
【補正対象項目名】００１３
【補正方法】変更
【補正の内容】
【００１３】
上記の課題を解決するために、請求項８に記載の発明は、請求項７に記載の情報記録用プログラムにより前記記録媒体に記録されている前記部分記録情報を当該記録媒体から再生する情報再生装置に含まれる記録コンピュータを、各前記部分記録情報の夫々における再生終了位置情報を、各前記部分記録情報の再生処理の終了の度に当該各部分記録情報毎に記録する再生終了位置記録手段、再生すべき前記部分記録情報の指定に当たり、当該再生すべき前記部分記録情報が属する前記記録情報の指示を行うために用いられる再生指示手段、各前記部分記録情報につき、前記記録情報の指示が行われたとき、当該指示された記録情報に属する前記部分記録情報を、前記録画タイトルテーブルに基づいて検出する検出手段、前記検出された部分記録情報の再生処理を、前記再生終了位置情報により示される当該検出された部分記録情報の再生終了位置に対応する位置から再開する再生再開手段と、前記再生再開手段の前記再生終了位置情報を前記指示者情報毎に管理する管理手段、として機能させることを特徴とする。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
異なるタイミングで取得される複数の部分記録情報からなる記録情報を複数個記録媒体に記録する情報記録装置において、
各前記記録情報の取得及び前記記録媒体への記録を指示するために用いられる指示手段と、
前記指示手段による指示に基づいて、各前記部分記録情報を取得する取得手段と、
前記指示に基づいて、各前記取得された部分記録情報の夫々につき、当該取得順に前記記録媒体に記録する記録手段と、
記録された各前記部分記録情報の夫々に基づいて、当該各部分記録情報と、当該各部分記録情報が属する前記記録情報を示す記録情報指示情報と、当該各部分記録情報の前記記録媒体への記録を指示した指示者を示す指示者情報と、を少なくとも含む録画タイトルテーブルを生成する生成手段と、
前記記録情報の再生を終了させた再生終了位置に対応する再生開始位置を、前記指示者情報ごとに管理する管理手段と、
を備えることを特徴とする情報記録装置。
【請求項２】
前記録画タイトルテーブルに基づいて前記記録情報の再生を制御する再生制御テーブルを作成する手段をさらに備え、
前記再生制御テーブルにおける前記記録情報は、前記指示者情報に基づいて当該指示者毎に複数設けられ、
前記再生制御テーブルにおける前記部分記録情報は、前記記録情報指示情報に基づいて対応する前記記録情報に対して関連付けられることを特徴とする請求項１に記載の情報記録装置。
【請求項３】
請求項１及び２のいずれか一項に記載の情報記録装置により前記記録媒体に記録されている前記記録情報を当該記録媒体から再生する情報再生装置において、
前記記録情報の夫々における再生終了位置情報を、前記記録情報の再生処理の終了の度に当該記録情報毎に記録する再生終了位置記録手段と、
再生すべき前記記録情報の再生指示を行うために用いられる再生指示手段と、
前記記録情報につき、前記記録情報の再生指示が行われたとき、当該指示された記録情報の再生終了位置に対応する位置から再開する再生再開手段と、
前記再生再開手段の前記再生終了位置情報を前記指示者情報毎に管理する管理手段と、
を備えることを特徴とする情報再生装置。
【請求項４】
前記録画タイトルテーブルに基づいて前記記録情報の再生を制御する再生制御テーブルを作成する手段をさらに備え、
前記再生制御テーブルにおける前記記録情報は、前記指示者情報に基づいて当該指示者毎に複数設けられ、
前記再生制御テーブルにおける前記部分記録情報は、前記記録情報指示情報に基づいて対応する前記記録情報に対して関連付けられることを特徴とする請求項３に記載の情報再生装置。
【請求項５】
異なるタイミングで取得される複数の部分記録情報からなる記録情報を複数個記録媒体に記録する情報記録方法において、
各前記記録情報の取得及び前記記録媒体への記録を指示するために用いられる指示工程と、
前記指示工程における指示に基づいて、各前記部分記録情報を取得する取得工程と、
前記指示に基づいて、各前記取得された部分記録情報の夫々につき、当該取得順に前記記録媒体に記録する記録工程と、
記録された各前記部分記録情報の夫々に基づいて、当該各部分記録情報と、当該各部分記録情報が属する前記記録情報を示す記録情報指示情報と、当該各部分記録情報の前記記録媒体への記録を指示した指示者を示す指示者情報と、を少なくとも含む録画タイトルテーブルを生成する生成工程と、
前記記録情報の再生を終了させた再生終了位置に対応する再生開始位置を、前記指示者情報ごとに管理する管理工程と、
を備えることを特徴とする情報記録方法。
【請求項６】
請求項５に記載の情報記録方法により前記記録媒体に記録されている前記記録情報を当該記録媒体から再生する情報再生方法において、
前記記録情報の夫々における再生終了位置情報を、前記記録情報の再生処理の終了の度に当該記録情報毎に記録する再生終了位置記録工程と、
再生すべき前記記録情報の再生指示を行う再生指示工程と、
前記記録情報につき、前記記録情報の再生指示が行われたとき、当該指示された記録情報の再生終了位置に対応する位置から再開する再生再開工程と、
前記再生再開手段の前記再生終了位置情報を前記指示者情報毎に管理する管理工程と、
を備えることを特徴とする情報再生方法。
【請求項７】
異なるタイミングで取得される複数の部分記録情報からなる記録情報を複数個記録媒体に記録する情報記録装置に含まれる記録コンピュータを、
各前記記録情報の取得及び前記記録媒体への記録を指示するために用いられる指示手段、
前記指示手段による指示に基づいて、各前記部分記録情報を取得する取得手段、
前記指示に基づいて、各前記取得された部分記録情報の夫々につき、当該取得順に前記記録媒体に記録する記録手段、
記録された各前記部分記録情報の夫々に基づいて、当該各部分記録情報と、当該各部分記録情報が属する前記記録情報を示す記録情報指示情報と、当該各部分記録情報の前記記録媒体への記録を指示した指示者を示す指示者情報と、を少なくとも含む録画タイトルテーブルを生成する生成手段、
前記記録情報の再生を終了させた再生終了位置に対応する再生開始位置を、前記指示者情報ごとに管理する管理手段、
として機能させることを特徴とする情報記録用プログラム。
【請求項８】
請求項７に記載の情報記録用プログラムにより前記記録媒体に記録されている前記記録情報を当該記録媒体から再生する情報再生装置に含まれる記録コンピュータを、
前記記録情報の夫々における再生終了位置情報を、前記記録の再生処理の終了の度に当該記録情報毎に記録する再生終了位置記録手段、
再生すべき前記記録情報の再生指示を行うために用いられる再生指示手段、
前記記録情報につき、前記記録情報の再生指示が行われたとき、当該指示された記録情報の再生終了位置に対応する位置から再開する再生再開手段、
前記再生再開手段の前記再生終了位置情報を前記指示者情報毎に管理する管理手段、
として機能させることを特徴とする情報再生用プログラム。
【請求項９】
請求項７に記載の情報記録用プログラムが前記記録コンピュータで読取可能に記録されていることを特徴とする情報記録媒体。
【請求項１０】
請求項８に記載の情報再生用プログラムが前記記録コンピュータで読取可能に記録されていることを特徴とする情報記録媒体。
【手続補正２】
【補正対象書類名】明細書
【補正対象項目名】０００８
【補正方法】変更
【補正の内容】
【０００８】
上記の課題を解決するため、請求項１に記載の発明は、異なるタイミングで取得される複数の部分記録情報からなる記録情報を複数個記録媒体に記録する情報記録装置において、各前記記録情報の取得及び前記記録媒体への記録を指示するために用いられる指示手段と、前記指示手段による指示に基づいて、各前記部分記録情報を取得する取得手段と、前記指示に基づいて、各前記取得された部分記録情報の夫々につき、当該取得順に前記記録媒体に記録する記録手段と、記録された各前記部分記録情報の夫々に基づいて、当該各部分記録情報と、当該各部分記録情報が属する前記記録情報を示す記録情報指示情報と、当該各部分記録情報の前記記録媒体への記録を指示した指示者を示す指示者情報と、を少なくとも含む録画タイトルテーブルを生成する生成手段と、前記記録情報の再生を終了させた再生終了位置に対応する再生開始位置を、前記指示者情報ごとに管理する管理手段と、を備えることを特徴とする。
【手続補正３】
【補正対象書類名】明細書
【補正対象項目名】０００９
【補正方法】変更
【補正の内容】
【０００９】
上記の課題を解決するために、請求項３に記載の発明は、請求項１及び２のいずれか一項に記載の情報記録装置により前記記録媒体に記録されている前記記録情報を当該記録媒体から再生する情報再生装置において、前記記録情報の夫々における再生終了位置情報を、前記記録情報の再生処理の終了の度に当該記録情報毎に記録する再生終了位置記録手段と、再生すべき前記記録情報の再生指示を行うために用いられる再生指示手段と、前記記録情報につき、前記記録情報の再生指示が行われたとき、当該指示された記録情報の再生終了位置に対応する位置から再開する再生再開手段と、前記再生再開手段の前記再生終了位置情報を前記指示者情報毎に管理する管理手段と、を備えることを特徴とする。
【手続補正４】
【補正対象書類名】明細書
【補正対象項目名】００１０
【補正方法】変更
【補正の内容】
【００１０】
上記の課題を解決するために、請求項５に記載の発明は、異なるタイミングで取得される複数の部分記録情報からなる記録情報を複数個記録媒体に記録する情報記録方法において、各前記記録情報の取得及び前記記録媒体への記録を指示するために用いられる指示工程と、前記指示工程における指示に基づいて、各前記部分記録情報を取得する取得工程と、前記指示に基づいて、各前記取得された部分記録情報の夫々につき、当該取得順に前記記録媒体に記録する記録工程と、記録された各前記部分記録情報の夫々に基づいて、当該各部分記録情報と、当該各部分記録情報が属する前記記録情報を示す記録情報指示情報と、当該各部分記録情報の前記記録媒体への記録を指示した指示者を示す指示者情報と、を少なくとも含む録画タイトルテーブルを生成する生成工程と、前記記録情報の再生を終了させた再生終了位置に対応する再生開始位置を、前記指示者情報ごとに管理する管理工程と、を備えることを特徴とする。
【手続補正５】
【補正対象書類名】明細書
【補正対象項目名】００１１
【補正方法】変更
【補正の内容】
【００１１】
上記の課題を解決するために、請求項６に記載の発明は、請求項５に記載の情報記録方法により前記記録媒体に記録されている前記記録情報を当該記録媒体から再生する情報再生方法において、前記記録情報の夫々における再生終了位置情報を、前記記録情報の再生処理の終了の度に当該記録情報毎に記録する再生終了位置記録工程と、再生すべき前記記録情報の再生指示を行う再生指示工程と、前記記録情報につき、前記記録情報の再生指示が行われたとき、当該指示された記録情報の再生終了位置に対応する位置から再開する再生再開工程と、前記再生再開手段の前記再生終了位置情報を前記指示者情報毎に管理する管理工程と、を備えることを特徴とする。
【手続補正６】
【補正対象書類名】明細書
【補正対象項目名】００１２
【補正方法】変更
【補正の内容】
【００１２】
上記の課題を解決するために、請求項７に記載の発明は、異なるタイミングで取得される複数の部分記録情報からなる記録情報を複数個記録媒体に記録する情報記録装置に含まれる記録コンピュータを、各前記記録情報の取得及び前記記録媒体への記録を指示するために用いられる指示手段、前記指示手段による指示に基づいて、各前記部分記録情報を取得する取得手段、前記指示に基づいて、各前記取得された部分記録情報の夫々につき、当該取得順に前記記録媒体に記録する記録手段、記録された各前記部分記録情報の夫々に基づいて、当該各部分記録情報と、当該各部分記録情報が属する前記記録情報を示す記録情報指示情報と、当該各部分記録情報の前記記録媒体への記録を指示した指示者を示す指示者情報と、を少なくとも含む録画タイトルテーブルを生成する生成手段、前記記録情報の再生を終了させた再生終了位置に対応する再生開始位置を、前記指示者情報ごとに管理する管理手段、として機能させることを特徴とする。
【手続補正７】
【補正対象書類名】明細書
【補正対象項目名】００１３
【補正方法】変更
【補正の内容】
【００１３】
上記の課題を解決するために、請求項８に記載の発明は、請求項７に記載の情報記録用プログラムにより前記記録媒体に記録されている前記記録情報を当該記録媒体から再生する情報再生装置に含まれる記録コンピュータを、前記記録情報の夫々における再生終了位置情報を、前記記録の再生処理の終了の度に当該記録情報毎に記録する再生終了位置記録手段、再生すべき前記記録情報の再生指示を行うために用いられる再生指示手段、前記記録情報につき、前記記録情報の再生指示が行われたとき、当該指示された記録情報の再生終了位置に対応する位置から再開する再生再開手段、前記再生再開手段の前記再生終了位置情報を前記指示者情報毎に管理する管理手段、として機能させることを特徴とする。
【手続補正８】
【補正対象書類名】明細書
【補正対象項目名】００６９
【補正方法】変更
【補正の内容】
【００６９】
また、複数の部分記録情報を繋げた記録情報の再生終了前に再生を終了した場合、再生終了位置情報から再生を開始することにより、再生を終了した位置をユーザが指定することなく、再生することができるので、操作性を向上させることができる。
【国際調査報告】
2005101410.tif 000008
2005101410.tif 000009
2005101410.tif 000010
2005101410.tif 000011